(57)【特許請求の範囲】
【請求項１】
少なくとも前後一対の針床を備え、各針床はそれぞれ多数の針を持ち、針床の少なくとも一方が左右にラッキング可能で、針床間で編目の移し替えが可能に構成される横編機を用いて、前側編地部分と、後側編地部分が編み幅の側端部で互いに接続された状態で編成し、且つ前側編地部分と後側編地部分の何れか一方の編地を編み幅の途中で左右に分離して編成し、この分離される箇所に縦方向に延びる開き部を形成するとともに、この開き部に沿って延びる適宜数のウエールからなる左右の縁部が着用の際に２層状に前後に重なった状態となる編地を製造するための編成方法であって、以下の工程を含むことを特徴とする編成方法。
ａ）一方の針床に付属させて左右の縁部を互いに並べた状態で編成するために開き部を形成する側の編地の、左右に分岐して編まれる編地の少なくとも一方の編地に対し、その編み幅側端で対向する他方の針床に付属させて編まれる側の編地に続く前記縁部のウエール数に応じて決定される数の側端ウエールを、予め対向する他方の針床に付属させて編まれる編地側へ回した状態でコース編成を繰り返し行う工程、
ｂ）前記開き部を形成する側の編地に対して減らし編成を行うことで開き部を広げる工程、
ｃ）前記ａ）の工程で予め他方の針床へ回していた側端ウエールを開き部を形成する側の編地の外に移す工程。
【請求項２】
前記工程ｂ）は、左右の縁部を互いに離間する向きに移動させることで開き部を広げ、前記並べて編成していた左右の縁部間の空き針の数を増加させ、前記工程ｃ）は、工程ｂ）に続いて行われ、他方の針床へ回していた側端ウエールを１目づつラッキングしながら開き部を形成する側の編地の外に移すとともに続くコース編成のために目移しにより編目の再配置を行う、ことを特徴とする請求項１に記載のニット編地の編成方法。
【請求項３】
前記工程ｂ）と工程ｃ）は繰り返し行われ、前記工程ｂ）は縁部は移動せずに一方の針床に付属する縁部に隣接する左右の編地部分を寄せることで開き部を広げ、このときに形成される空き針に対して他方の針床へ回していた側端ウエールを移すことを特徴とする請求項１に記載のニット編地の編成方法。
【請求項４】
前記編成を開き部が形成される側の編地の左右両方に対して行うことを特徴とする請求項１に記載のニット編地の編成方法。
【請求項５】
前記編成を開き部が形成される側の編地の左右何れか一方に対して行うことを特徴とする請求項１に記載のニット編地の編成方法。
【請求項６】
前記工程ｃ）で移される側端ウエールの編目が捻れ目にならないように目移しによる編目の捻れを解消する向きに給糸して編目を形成することを特徴とする請求項１に記載のニット編地の編成方法。
【請求項７】
少なくとも前後一対の針床を備え、各針床はそれぞれ多数の針を持ち、針床の少なくとも一方が左右にラッキング可能で、針床間で編目の移し替えが可能な横編機を用いて、前側編地部分と、後側編地部分が編み幅の側端部で互いに接続された状態で編成し、且つ前側編地部分と後側編地部分の何れか一方の編地を編み幅の途中で左右に分離して編成し、この分離される箇所に縦方向に延びる開き部を形成するとともに、この開き部に沿って延びる適宜数のウエールからなる左右の縁部の編み終わり部で縁部同士が２層状に前後に重合された形態の編地を製造するための編成方法であって、以下の工程を含むことを特徴とする編成方法。
ａ）一方の針床に付属させて左右の縁部を互いに並べた状態で編成するために開き部が形成される側の編地の、左右に分岐して編まれる編地の少なくとも一方の編地に対し、その編み幅側端で対向する他方の針床に付属させて編まれる側の編地に続く前記縁部のウエール数に応じて決定される数の側端ウエールを、予め対向する他方の針床に付属させて編まれる編地側へ回した状態でコース編成を行って編地を編成する工程、
ｂ）前記ａ）の工程で予め他方の針床へ回していた前記ウエールを１目づつラッキングしながら開き部が形成される側の編地の外に移す工程、
ｃ）編地を移動して左右の縁部同士を目移しにより重ねるとともに後続のコース編成を行うために目移しにより編目の再配置を行う工程、
ｄ）上記工程ｃ）に続いて前側編地部分と後側編地部分が編み幅の側端部で接続されるとともに編地全体が完全な筒状体としてコース編成を行う工程。
【発明の詳細な説明】
技術分野
本発明は、例えばカーディガンや前開きのあるベストなどといったニットウエアの一部が縦に割れた開き部を有する筒状編地や編地の一部にスリットが形成され、このスリットに沿う縁部が互いに前後に重なり合った部分をもつ筒状編地およびその編成方法に関する。
背景技術
出願人は、シームレスニットに関する基本技術を特公平３−７５６５６号で提案した。これは前後に針床を対向配置させた所謂２枚ベッド横編機を用い、例えば前側編地の編成を奇数番目の針に、後側編地を偶数番目の針に割り当て、前後針床のそれぞれ１本置きの針を使用して編地を筒状に編成するものである。前側編地を編成する際に後側編地を後針床の針に付属させ、反対に後側編地を編成する際に前側編地を前後針床の針に付属させて前後に重ね合わせた状態で編地を編成することで各編地は対向する針床上に目移し用の空き針を常に確保でき、その結果リンクス、ガーター、リブ等の表目／裏目が混在した組織柄を筒状に編成できる。また、この空き針を使って編地を横に移動させ隣接する編地と接合することができる。
前後に更に一対の針床を付加した４枚ベッド横編機を使用する場合には、袖や身頃の前側の編地部分を下部前針床と上部後針床の針で編成し、同様に後側編地を下部後針床と上部前針床の針を使用して編成できるので２枚ベッド横編機のように前側編地を奇数番目の針に、後側編地を偶数番目の針に割り当てることは不要となる。これらの編成方法を用いることにより、ほぼ完成品に近いニットウエアが横編機上で製造され、縫製工程を省略ないし簡略することができる。
ベストをシームレスに編成する場合、前身頃と後身頃を裾ゴム部から始め、途中袖ぐりや衿ぐり等の開口を形成しながら肩まで編成し、次いで肩部において前後身頃を接合して伏目処理する。同様に、Ｔスリーブ、セットインスリーブ、ラグランスリーブを始めとした袖付きニットウエアを編成する場合、身頃と２つの袖を３つの筒状に同時に編成し、脇下のところから袖と身頃の接合を開始し、肩で身頃の前部と後部とを接続する。特開平２−９１２５４，特開平２−２２９２４８、特開平４−２０９８５５、特開平４−１５３３４６号公報にはこれらニットウエアの編成方法が開示されている。
ところが例えばカーディガンや前開きのあるベストなどのニットウエアを編成する場合では、開き部に沿って延びる左右の縁部、通常この縁部には前立てを設けてボタンホールやボタンが取り付けられるのであるが、着用の際にこの縁部同士が前後に重なり合うように構成しなければならない。
２枚ベッド横編機を用いて１本置きの針を使用すれば前身頃と後身頃を重なり合った状態（断面２層状）に編成できるのは上述のとおりである。編成に使用する針を２本置き、３本置き、Ｎ本置きの針とすれば３層状、４層状と更に多層の編地が編成できる。したがって縁部が前後に重なりあった断面３層状に編成するには図１９に示すように縁部１２１，１２２を例えば３本置きの針を使用して編成するようにすれば前開き１０２のあるニットウエアを２枚ベッド横編機で編成することができる。図中の参照符号１０５ｒは右前身頃、１０５ｌは左前身頃、１０７は後身頃を示す。
しかし縁部１２１，１２２を上記のようにして編成した場合には縁部の編目を形成する針間距離が広がるため緩い編目の縁部となってしまうなどその風合いに問題がでる。そのため縁部だけを別途編んでおき、縫製工程でこれを身頃に縫合するなどしていた。これは上記した前開きのあるベストやカーディガンに限るものでなく筒状編成される編地の一部にスリットなどの開き部が形成され、この開き部で縁部が前後に重ね合わされるタイプのもの全てに当てはまる。
本発明の課題は、筒状編成されるニット編地の一部にスリットなどの開き部が形成され、この開き部に沿って延びる縁部や、開き部に沿って延びる左右の縁部を有するベストやカーディガンなどのニットウエアをシームレスに編成する際に縁部が上記したような緩い編目とならず風合い等を改善することを目的とする。
発明の開示
本発明では上記課題を達成するために、少なくとも前後一対の針床を備え、各針床はそれぞれ多数の針を持ち、針床の少なくとも一方が左右にラッキング可能で、針床間で編目の移し替えが可能に構成される横編機を用いて、前側編地部分と、後側編地部分が編み幅の側端部で互いに接続された状態で編成し、且つ前側編地部分と後側編地部分の何れか一方の編地を編み幅の途中で左右に分離して編成し、この分離される箇所に縦方向に延びる開き部を形成するとともに、この開き部に沿って延びる適宜数のウエールからなる左右の縁部が着用の際に２層状に前後に重なった状態となる編地を製造するための編成方法であって、以下の工程を含むことを特徴とする；
ａ）一方の針床に付属させて左右の縁部を互いに並べた状態で編成するために開き部を形成する側の編地の、左右に分岐して編まれる編地の少なくとも一方の編地に対し、その編み幅側端で対向する他方の針床に付属させて編まれる側の編地に続く前記縁部のウエール数に応じて決定される数の側端ウエールを、予め対向する他方の針床に付属させて編まれる編地側へ回した状態でコース編成を繰り返し行う工程、
ｂ）前記開き部を形成する側の編地に対して減らし編成を行うことで開き部を広げる工程、
ｃ）前記ａ）の工程で予め他方の針床へ回していた側端ウエールを開き部を形成する側の編地の外に移す工程。
好ましくは前記工程ｂ）は、左右の縁部を互いに離間する向きに移動させることで開き部を広げ、前記並べて編成していた左右の縁部間の空き針の数を増加させ、前記工程ｃ）は、工程ｂ）に続いて行われ、他方の針床へ回していた側端ウエールを１目づつラッキングしながら開き部を形成する側の編地の外に移すとともに続くコース編成のために目移しにより編目の再配置を行う。
好ましくは前記工程ｂ）と工程ｃ）は繰り返し行われ、前記工程ｂ）は縁部は移動せずに一方の針床に付属する縁部に隣接する左右の編地部分を寄せることで開き部を広げ、このときに形成される空き針に対して他方の針床へ回していた側端ウエールを移す。
好ましくは前記編成を開き部が形成される側の編地の左右両方に対して行う。
好ましくは前記編成を開き部が形成される側の編地の左右何れか一方に対して行う。
好ましくは前記工程ｃ）で移される側端ウエールの編目が捻れ目にならないように目移しによる編目の捻れを解消する向きに給糸して編目を形成する。
またもう一つの発明では少なくとも前後一対の針床を備え、各針床はそれぞれ多数の針を持ち、針床の少なくとも一方が左右にラッキング可能で、針床間で編目の移し替えが可能な横編機を用いて、前側編地部分と、後側編地部分が編み幅の側端部で互いに接続された状態で編成し、且つ前側編地部分と後側編地部分の何れか一方の編地を編み幅の途中で左右に分離して編成し、この分離される箇所に縦方向に延びる開き部を形成するとともに、この開き部に沿って延びる適宜数のウエールからなる左右の縁部の編み終わり部で縁部同士が２層状に前後に重合された形態の編地を製造するための編成方法であって、以下の工程
を含むことを特徴とする；
ａ）一方の針床に付属させて左右の縁部を互いに並べた状態で編成するために開き部が形成される側の編地の、左右に分岐して編まれる編地の少なくとも一方の編地に対し、その編み幅側端で対向する他方の針床に付属させて編まれる側の編地に続く前記縁部のウエール数に応じて決定される数の側端ウエールを、予め対向する他方の針床に付属させて編まれる編地側へ回した状態でコース編成を行って編地を編成する工程、
ｂ）前記ａ）の工程で予め他方の針床へ回していた前記ウエールを１目づつラッキングしながら開き部が形成される側の編地の外に移す工程、
ｃ）編地を移動して左右の縁部同士を目移しにより重ねるとともに後続のコース編成を行うために目移しにより編目の再配置を行う工程、
ｄ）上記工程ｃ）に続いて前側編地部分と後側編地部分が編み幅の側端部で接続されるとともに編地全体が完全な筒状体としてコース編成を行う工程。
また編地を上記した方法の何れかにより製造した。
この発明によればニット編地として例えばカーディガンやベストのようなニットウエアを編成する場合に、その前身頃と後身頃が編み幅の側端部で接続されたシームレス状に編成するとともに前身頃に縦方向に延びる開き部を形成するのであるが、この開き部に沿って形成される左右の縁部が着用の際に２層状に前後に重なった状態となるように左右の縁部が針床上で互いに前後に重った状態で編成する方法に代えてこれら縁部を左右に並べた状態で編成する。縁部を並べて編成することで針床上において前身頃の編み幅は後身頃の編み幅よりも広くなってしまうが、前身頃の右側または左側の一方あるいは両方の側端に位置する適宜数のウエールを後身頃側へ回した状態で編成する。これにより前後の針床で編まれる編み幅を概ね等しくでき、その結果前身頃と後身頃のコース編成を遂行できる。  そして前記開き部を形成する側の編地に対して減らし編成を行うことで開き部を広げるとともに他方の針床へ回していた側端ウエールを開き部を形成する側の編地の外に移していく。具体的には左右の縁部をそれぞれが付属する側の前身頃に寄せていくことで開き部を広げていくことが可能である。カーディガンやベストの場合にはこれが衿ぐり開口部となる。開口部が広げられるにつれて左右の縁部の間に挿入される空き針の数は増えていく。その後、後身頃が付属する他方の針床へ回していた前身頃の側端ウエールを１目づつラッキングしながら前身頃側にこれら側端ウエールが一列に並ぶように移す。この編成と同時に、またはこの編成に続いて針床上における前身頃と後身頃の編み幅を揃え後続のコース編成が遂行できるように編地の移し替えを行うのであるが、この際に前記挿入された空き針がある範囲を編地の移し替えに利用して編目を再配置させる。
あるいは上記に代えて左右の縁部に対して前身頃を寄せて編み幅を減らすことで実質的に開き部が広げられる。このようにして前身頃を縁部に向けて寄せることで縁部を含む前身頃側を付属する針床上の外側に空き針が形成される。減らし編成を繰り返し行いながらその都度形成される空き針に他方の針床へ回していた前身頃の側端ウエールを１目づつ移すことで前身頃と後身頃の編み幅を揃える。このようにして針床上における前身頃と後身頃の編み幅を等しくしてこれに続くコースの編成を行っていく。
このようにして編成することで縁部は身頃と一体に編成することができるとともに縁部は従来に比してしっかりした風合いに仕上げられ、着用したときに前後に重なり合うものになる。
上記で側端ウエールの編目が捻れ目にならないように目移しによる編目の捻れを解消する向きに給糸して編目を形成する。そのため続いて行われる目移しの際にこの捻れが解消されることとなり、このように編成した編地は美観を損ねることはない。
またもう一つの発明によれば、例えばニット編地としてワンピーススカートのように、その前身頃と後身頃が編み幅の側端部で接続したシームレス状に編成するとともに前身頃を左右に分離してスリットを形成し、このスリットに沿って延びる左右の縁部がその編み終わり部で互いに前後に重合された状態となるように左右の縁部が針床上で互いに前後に重った状態で編成する方法に代えてこれら縁部を左右に並べた状態で編成する。縁部を並べて編成することで針床上において前身頃の編み幅は後身頃の編み幅よりも広くなってしまうが、前身頃の右側または左側の一方あるいは両方の側端に位置する適宜数のウエールを後身頃側へ回した状態で編成する。これにより前後の針床で編まれる編み幅を概ね等しくでき、その結果前身頃と後身頃のコース編成を遂行できる。
そしてこの編成を行ってスリットを形成した後、前身頃の後身頃が付属する他方の針床へ回していた側端ウエールを１目づつラッキングしながら前身頃側にこれら側端ウエールが一列に並ぶように移す。この編成と同時に、またはこの編成に続いて左右の縁部同士を目移しにより重ねることでスリットの編成を終えるとともに編み幅を減少させる。そして後続のコース編成が完全な筒状体として編成できるように編地の移し替えを行って編目を再配置させてから続くコースの編成を行っていく。このようにして編成することで縁部は身頃と一体に編成することができるとともに縁部は従来に比してしっかりした風合いに仕上げられ、着用したときに前後に重なり合うものにすることができる。
発明を実施するための最良の形態
次に本発明の好適な実施例を図面とともに以下説明する。図１はニットウエアとしてカーディガン１を示す。図２は図１の線ｉｉ−ｉｉにおける断面図を示し、カーディガン１は着用時に開き部２に沿って延びる左右の縁部２１，２２が互いに前後に重なり合うように構成されている。図示せぬが縁部２１，２２の一方にはボタンホールが設けられ、他方にボタンが取り付けられる。
本実施例ではカーディガン１の編成を２枚ベッド横編機で行うものとする。横編機は左右方向に延び、かつ前後に対向する針床を有し、各針床はそれぞれ多数の針を持ち、針床の少なくとも一方が左右にラッキング可能で、前記針床間で編目の目移しが可能ないわゆる汎用タイプのものが使用される。
図３は、横編機でカーディガン１をシームレスに編成する場合の工程を模式的に示し、図４は、各段階Ｐ１〜Ｐ４に対応する編地の針床での係止状態を簡略化して示したものである。カーディガン１は裾ゴムと縁部２１，２２以外は表編みされる無地とする。
段階Ｐ１では、カーディガン１は、着用時に互いに前後に重なり合う前身頃５の開き部２に沿って延びる縁部２１，２２を左右に並置させて編成する。前身頃５と後身頃７からなる身頃部３と左右の袖１１，１３を裾側から肩に向けて編成を開始する。身頃部３は例えば単一の給糸口（不図示）を用いて開き部２を給糸口の反転箇所として概略”Ｃ”字状を描くようにして編成し、袖１１，１３は個別の給糸口により袖前部１１ａ，１３ａ、次に袖後部１１ｂ，１３ｂと周回状に給糸して編成する。これにより身頃部３と袖１１，１３はそれぞれの前側編地部分５、１１ａ，１３ａと後側編地部分７、１１ｂ，１３ｂが側端部で接続された筒状編地として針床上の異なる領域を使用して編成される。本明細書でいう筒状編地とはプルオーバーのセーターの身頃のように周囲が完全に包囲されたものだけでなくカーディガンのような周囲の一部が開放されたようなものを含むものとする。この状態では身頃３と袖１１，１３の前側編地部分が前針床の針に、後側編地部分が後針床の針に係止されている。この編成を繰り返し行い縁部２１，２２がまっすぐストレートに延びる部分を編成する。
段階Ｐ２では衿ぐり開口部９を広げていく編成を行いながら脇下２５まで身頃３を袖１１，１３と同時進行形に編成する。次の段階Ｐ３は、脇下２５で身頃部３と袖１１，１３を接続し、これらを１つの大きな筒状体とし、以降脇下２５までの身頃部３の編成と同じように単一の給糸口を用いて開き部２を給糸口の反転箇所としてＣ字状を描くようにして編成する。段階Ｐ４は、衿ぐり開口部９が更に広げられるとともに袖の大半が身頃に接合された状態を示す。脇下２５で袖１１，１３と身頃３を接合した後このように編成していくことは周知であるのでここではその詳細な説明は省略する。
＜実施例１＞
縁部２１，２２が互いに重なり合ったものとするために本実施例では前針床の針で編まれる前身頃５の一方、ここでは左前身頃５ｌの左袖１１と隣り合う適宜数の側端ウエール２７（▲１▼▲２▼▲３▼）を後針床の針で編まれる後身頃７と並べて編成するように後針床へ配置させて行う場合について説明する。
図５は本実施例の編成の概略フローを示し、ａは縁部２１，２２が前後に重なった編み立て後の状態の身頃３、ａ１〜ａ５は編成の進行に伴い身頃３および袖１１，１３の針床での係止状態の変化を示す。図では後身頃７を実線、縁部２１，２２を含む前身頃５を太線、そして袖１１，１３を一点鎖線で示した。また前後針床間に延びる渡り糸を破線で示した。
ａ１は左前身頃５ｌの一部（図中の▲１▼▲２▼▲３▼）が後針床に保持された状態で編成を行う段階、ａ２，ａ３は開き２の間隙を広げていく段階、ａ４は後針床に配置させていた左前身頃５ｌの一部▲１▼▲２▼▲３▼を前針床に送り込み、更に右袖１３と身頃３の右半分を右へ移動させた段階、ａ５は袖１１，１３と身頃３を接合して編成していく段階を示す。
図６〜図１０は上記各段階の詳細な編成ステップを示す。各図では説明の便宜を図るため実際の編地編成に使用される針数に比して極少数の針数とした。図の左端に示した数字はステップを示し、アルファベットは１本置きの針に対し付し、下の１は奇数番目の針、２は偶数番目の針を示す。カーディガン１の前側部分は後針床に配置されて編まれる一部のウエール２７（▲１▼▲２▼▲３▼）を除いて奇数番目の針を用いて編まれ、後側部分は偶数番目の針を用いて編まれるものとする。図中の黒く塗りつぶした丸は縁部２１，２２の編目を示し、黒く塗りつぶした四角は袖１１，１３の編目を示す。
ステップ１は、側端部２１，２２がストレートに延びる部分（図５のａ１に対応）の針床における各部の係止状態を示す。右前身頃５ｒは前針床のＤ，Ｅ，Ｆ，…Ｐ，Ｑ，Ｒに示す奇数番目の針に係止される。左前身頃５ｌは前針床のＳ，Ｔ，Ｕ，…ｂ，ｃ，ｄの奇数番目の針と後針床のｄ，ｃ，ｂの偶数番目の針に係止され、後針床のｄ，ｃ，ｂの偶数番目の針に側端ウエール２７（図中の▲１▼▲２▼▲３▼）が係止される。後身頃７は後針床のＤ，Ｅ，Ｆ，…Ｙ，Ｚ，ａの偶数番目の針に係止される。開き部２に沿って延びる縁部２１，２２はそれぞれ５ウエールで構成され、縁部２２は針Ｎ，Ｏ，Ｐ，Ｑ，Ｒ、縁部２１はＳ，Ｔ，Ｕ，Ｖ，Ｗの奇数番目の針に係止される。また右袖１３はＡ，Ｂ，Ｃの前針床の奇数番目の針に右袖前部１３ａが、後針床の同じＡ，Ｂ，Ｃの偶数番目の針に右袖後部１３ｂが係止され、ｈ，ｉ，ｊの前針床の奇数番目の針に左袖前部１１ａ、後針床の偶数番目の針に左袖後部１１ｂが係止される。右袖１３は身頃３に隣接した状態で編成され、左袖１１は後述するが後続編成のために予め身頃３から所定距離をあけて編成される。縁部２１，２２は毎コース間で表目と裏目が入れ替わるガーター編み組織を有する。このステップ１の状態をラッキング原点とし、以下この原点を基準として針床の振り量を表す。
まずステップ１では上記した状態で係止される身頃３、袖１１，１３の各編目を係止する針へ給糸して各部のコースの編成を行う。ステップ２では次のコースの編成を行い、その際に縁部２１，２２の編目を対向する後針床の針へ移して裏目を形成する。ステップ３は縁部２１，２２の編目を前針床の元の針へ移し戻してからコース編成を行う。上記ステップ１〜３の編成を所定回数繰り返して縁部２１，２２がストレートに延びる部分の身頃３を編成する。以降の編成においても縁部２１，２２はその都度目移しされガーター編みされるがその説明は省略するものとする。
ステップ４〜１０は縁部２１，２２をそれぞれが付属する前身頃側５ｒ，５ｌへ向けて移動して隣接する編目同士を重ねる減らし編成を示す。この編成は身頃部３を例えば２コース編成される毎に行う。コース編成とこの縁部２１，２２の移動を繰り返し行うことで衿ぐり開口部９を形成していくもので図５のａ２，ａ３に対応する。ステップ４で縁部２１，２２を後針床へ移した後、ステップ５で後針床を左へ針２本分ラッキングし、続くステップ６で縁部２２を前針床のＭ，Ｎ，Ｏ，Ｐ，Ｑの奇数番目の針へ移すことで針Ｍ１に重ね目を形成する。ステップ７は側端部２２を前針床のＴ，Ｕ，Ｖ，Ｗ，Ｘの奇数番目の針に移して針Ｘ１に重ね目を形成する。ステップ８はラッキングを原点に戻した状態の各針床における編地の係止状態を示す。これにより元々編目を係止していた前針床の針Ｒ１，Ｓ１が空き針となり、縁部２１，２２間の距離が広がっているのがわかる。ステップ９は縁部２１，２２の移動が再度行われた後の状態を示し、ステップ１０は更にもう一度行われた後の状態を示す。これにより縁部２１，２２の編目を係止していた前針床のＰ，Ｑ，Ｒ，Ｓ，Ｔ，Ｕの奇数番目の針が空き針となる。
続くステップ１１〜１４は左前身頃５ｌの後針床で編成していた▲１▼▲２▼▲３▼で示す側端ウエール２７を１目づつラッキングしながら▲１▼から順に一つずつ前針床へ送り込む編成を示す。ステップ１１では左袖後部１１ｂを前針床へ移すとともに右袖前部１３ａと右前身頃５ｒを後針床へ移す。ステップ１２で後針床を右へ針１本分ラッキングして左前身頃５ｌの▲１▼を針ｅ１へ移す。次のステップ１３では後針床を右へ針５本分ラッキングして▲２▼を針ｆ１に移し、ステップ１４で後針床を右へ針９本分ラッキングして▲３▼を針ｇ１へ移す。これにより側端ウエール２７は左前身頃５ｌの外側に一列に並ぶ。
上記のようにして側端ウエール２７を前針床へ回す。そして続くステップ１５〜２０は、続く脇下２５以降においても前身頃５と後身頃７が左右の袖１１，１３を含めてシームレスに編成できるように縁部２１，２２間に挿入された空き針がある範囲を編地の移し替えに利用して編目を再配置させるための編地の移動を示す。
まずステップ１５では後針床を右へ針１０本分ラッキングして針Ａ〜Ｏに係止させた右袖１３と右前身頃５ｒおよび右前身頃５ｒに対峙する後身頃７の全ての編目を前針床の針Ｆ〜Ｔに移すとともに後身頃７の残る編目を針Ｕ〜ｆの偶数番目の針へと移して後針床の針を全てフリーにする。ステップ１６では後針床を原点へとラッキングして右袖後部１３ｂと後身頃７を後針床へ移す。ステップ１７は目移しが完了した後の各編目の係止状態を示したもので上記ステップ７〜１０による縁部２１，２２の移動により形成された空き針に縁部２１の編目が移し替えられるようにカーディガン１の右半分が全体に右へ移動されているのがわかる。ステップ１８では縁部２１を含む前左身頃５ｌと左袖１１の編目を後針床へ移し、次のステップ１９では後針床を左へ針２本分ラッキングした状態にして前針床の対向する針へ移し替える。ステップ２０はラッキングを原点に復帰させ左袖後部１１ｂを対向する後針床の針へ移す。これらステップ１８〜２０の編成により前側部分と後側部分の編目を編成する針立て（針の並び）を以前と同じ、例えばステップ１に見られるように後側部分が前側部分より右へ針１本分ズレた状態で編まれるようにするためのもので必ずしも必要なステップではない。ステップ２１では編地の移動が完了した後の針床における編地の係止状態を示す。これは図５のａ４に対応する。
上記は編目を再配置させるための一つの例を示したに過ぎない。上記ではステップ１２〜１４で側端ウエール２７を前針床へ回した後、ステップ１５〜２０で続くコース編成のために編目の再配置を行うようにしたが、側端ウエール２７を前針床へ回す編成と編目の再配置の編成とを並行して行うようにしてもよい。その際カーディガン１の左半分を全体に左へ移動するようにしてもよいなどを始め種々変更することはできる。
脇下２５以降については開き部２を給糸口の反転箇所としてＣ字状を描くようにして肩に向けて編成を行っていき、その間に袖１１，１３を身頃３に移動させて重ねていき、同時に衿ぐり開口部９を更に広げる編成を行いながらコース編成を進める（図５のａ５に対応）。
上記編成では後針床で編まれていた前身頃５のウエール２７が前針床に送られた後、続くコースが前針床で編まれるためにウエール２７の送られた編目は捻れ目となって編地に現れる。この捻れ目の発生を防ぐにはステップ１０でのコース編成の際に後針床の針ｂ２，ｃ２，ｄ２に対する給糸方向を逆にして編目を予め捻れた状態に形成すれば、続く目移しの際にこの捻れが解消される。なお以下の実施例においても同様の編み方により捻れ目を解消できるが、その編成について上記を参照するものとして省略する。また符号等についても実施例１と同じものについては同一の符号を用いた。
＜実施例２＞
上記実施例では前身頃５の左前身頃５ｌのみをその側端の数ウエールを後針床に配置させて編成したが、実施例２では左右の前身頃５ｒ，５ｌのそれぞれの側端の数ウエールを後針床に配置させて編成する場合、即ち上記実施例１で示したのと同様な編成を左右において行う場合の例である。したがって実施例２は実施例１の変形例に相当するので図６〜図１０のような編成ステップ図がなくても容易に理解されるので省略する。
図１１は実施例１の図５に対応する本実施例での編成の概略フローを示す。ａ’は縁部２１，２２が前後に重なった編み立て後の状態の身頃３を示す。ａ’１〜ａ’５は編成の進行に伴い身頃３および袖１１，１３の針床での係止状態の変化を示す。ａ’１は右前身頃５ｒと左前身頃５ｌの側端のウエール２９ｌ，２９ｒ（図中の▲１▼▲２▼）がそれぞれ後針床に保持された状態で編成を行う段階を示し、ａ’２およびａ’３は衿ぐり開口部９を形成するために縁部２１，２２を外へ移動して間隙を広げていく段階を示す。ａ’４は後針床に配置させていた前身頃５ｒ，５ｌの側端ウエールの編目を前針床に送り込むとともに縁部２１，２２の移動により形成された空き針に前身頃５ｒ、５ｌをそれぞれ移し替えるとともに袖１１，１３を移し替える編目の再配置を行う段階を示す。ａ’５は袖１１，１３と身頃３を接合して編成していく段階を示す。この実施例の場合には実施例１と異なり針床上で左右の前身頃５ｒ，５ｌの編成を左右対称に行える。
＜実施例３＞
上記実施例では身頃編成の間に左右の縁部をそれぞれの身頃側に寄せていくことで衿ぐり開口部を広げるとともに前身頃の編み幅を減らすようにしたが、本実施例では縁部の移動に代えて前身頃を移動させる場合について示す。
図１２〜図１５は本実施例の編成ステップを示し、ステップ１は、縁部２１，２２がストレートに延びる部分（図１１のａ’１に対応）の針床における各部の係止状態を示す。右前身頃５ｒは前針床のＤ，Ｅ，Ｆ，…Ｎ，Ｏ，Ｐに示す奇数番目の針と右前身頃５ｒの側端ウエール２９ｒ（図中の▲１▼▲２▼）が後針床のＤ，Ｅの偶数番目の針に係止される。左前身頃５ｌは前針床のＱ，Ｒ，Ｓ，…ａ，ｂ，ｃの奇数番目の針と左前身頃５ｌの側端ウエール２９ｌ（図中の▲１▼▲２▼）が後針床のｃ，ｂの偶数番目の針に係止される。後身頃７は後針床のＦ，Ｇ，Ｈ，…Ｙ，Ｚ，ａの偶数番目の針に係止される。開き部２に沿って延びる縁部２１，２２はそれぞれ５ウエールで構成され、縁部２２は針Ｌ，Ｍ，Ｎ，Ｏ，Ｐ、縁部２１はＱ，Ｒ，Ｓ，Ｔ，Ｕの奇数番目の針に係止される。また右袖１３はＡ，Ｂ，Ｃの前針床の奇数番目の針に右袖前部１３ａが、後針床の同じＡ，Ｂ，Ｃの偶数番目の針に右袖後部１３ｂが係止され、ｄ，ｅ，ｆの前針床の奇数番目の針に左袖前部１１ａ、後針床の偶数番目の針に左袖後部１１ｂが係止される。縁部２１，２２は先の実施例と同様なガーター編みでもよいがここではその説明を省略する。
まずステップ１では上記した状態で係止される身頃の各編目を係止する針へ給糸して各部のコースの編成を行う。続くステップ２では、前針床のＤ，Ｅ，Ｆ，…Ｉ，Ｊ，Ｋの奇数番目の針に係止される右前身頃５ｒおよびＶ，Ｗ，Ｘ，…ａ，ｂ，ｃの奇数番目の針に係止される左前身頃５ｌの編目を後針床へ移す。このとき右袖後部１３ｂ、左袖後部１１ｂを前針床に移し、後続の編成でラッキングが行われても袖の編目に負荷がかからないようにする。ステップ３では右前身頃５ｒの編目を縁部２２側へ寄せるために後針床を右へ針２本分ラッキングして対向する前針床の針へ移す。これにより右前身頃５ｒの元々前針床のＫの奇数番目の針に係止されていた編目と縁部２２の側端の編目とが重なってウエール１本が減ったことになる。同様にステップ４では左へ針２本分ラッキングして左前身頃５ｌの編目を縁部２１側へ寄せる。続くステップ５では左へ針１本分ラッキングして左前身頃５ｌの後針床の針ｃの偶数番目の針に係止される側端ウエール２９ｌの編目▲１▼を前針床の針へ移し、次のステップ６でラッキングを原点として身頃の続くコースの編成を行う。
ステップ７〜９は身頃の減らし編成を示し、ステップ７で前針床のＥ，Ｆ５…Ｉ，Ｊ，Ｋの奇数番目の針に係止される右前身頃５ｒおよびＶ，Ｗ，Ｘ，…ａ，ｂ，ｃの奇数番目の針に係止される左前身頃５ｌの編目を後針床へ移し、ステップ８で後針床を右へ針２本分ラッキングして右前身頃５ｒの編目を前針床の針へ移し、右前身頃５ｒの端の編目を縁部２２の側端の編目に重ねるとともに次のステップ９で右へ針１本分ラッキングして右前身頃５ｒの後針床の針Ｄの偶数番目の針に係止される側端ウエール２９ｒの編目▲１▼を前針床の針へ移す。ステップ１０は後針床を左へ針２本分ラッキングして左前身頃５ｌの編目を前針床の針へ移して縁部２１の編目に重ねる。ここまでの編成により左右の前身頃５ｒ，５ｌでそれぞれ２ウエールが減少したことになる。
ステップ１１はステップ１０が終了した後の後針床が原点の状態の編目の係止状態を示す。続く身頃の編成において上記ステップ２から１０の編成と同様な編成を繰り返し行うことで前身頃５ｒ，５ｌを縁部２１，２２に向けて移動していく。ステップ１２は更に１回の寄せが行われた状態の編目の係止状態を示す。ステップ１３は更に寄せがもう一回行われた状態の編目の係止状態を示す。ステップ１４は左右の袖１１，１３が身頃の横に移動した状態を示す。このようにして本実施例では、縁部２１，２２の編目を固定した状態とし、所定数のコース編成の毎に左右の前身頃５ｒ，５ｌを縁部２１，２２側へ寄せていくことで衿ぐり開口部が形成されるとともにこのときの減らし編成によって形成される前針床の空き針に後針床へ回していた側端ウエール２９ｒ，２９ｌの編目を移すようにしている。
＜実施例４＞
次に本発明の方法を筒状編成されるワンピースのスカート３０のセンター正面にスリット（開き部）３２を形成する場合について適用した場合の実施例について説明する。図１６はワンピーススカート３０の正面図を示し、４１，４２は縁部、３５ｒ，３５ｌは左右の前身頃、３７は後身頃を示す。図１７はスリット３２が形成される筒状部の編成の概略フローを示した図で、図１８はその編成ステップを示す。スカートは縁部４１，４２を含め無地の平編み組織とした。
図１７のａは前後に重なる縁部４１，４２間にスリット３２が形成される部分の編み立て後の状態を示す。ａ１は左前身頃３５ｌの側端のウエール３８（図１８の▲１▼▲２▼）を後針床に保持された状態にすることでスリット３２に沿って延びる縁部４１，４２を左右に並置して編成する段階、ａ２はスリット３２形成後に縁部４１，４２を突き合わせる段階で、ａ３は縁部４１，４２が重ね合わされた段階を示す。
図１８はステップ１は上記ａ２の段階の針床上での編目の係止状態を示し、左前身頃３５ｌの側端の後身頃につながるウエール３８（▲１▼▲２▼）が後針床の針で編まれるように配置されている。この状態でスリット３２で給糸口を反転させてＣ編編成を行い、所要長さのスリット３２を得る。ステップ２では前身頃３５ｒ，３５ｌの編目を後針床へ移し、次のステップ３で後針床を左８針分ラッキングして縁部４１を縁部４２が係止されていた前針床の針Ｇ１，Ｈ１，Ｉ１，Ｊ１に移す。ステップ４、ステップ５では後針床を左７針、左３針ランキングして左前身頃３５ｌのウエール３８の編目を針Ｏ、針Ｐに移す。
ステップ６では後針床を原点へ復帰させ縁部４１に縁部４２が向き合うようにし、続くステップ７では後針床に預けられていた右前身頃３５ｒの編目を前針床へ移す。ステップ８は目移し完了後の編目の係止状態を示し、針Ｇ１，Ｈ１，Ｈ１，Ｊ１で縁部４１，４２の編目が重ね目として係止される。ステップ９は前針床のＡ，Ｂ，…Ｏ，Ｐの奇数番目の針に給糸して前記縁部４１，４２の重ね目に続くコース編成を行うことで縁部４１，４２同士を重合する。続いて後針床のＰ，Ｏ，…Ｂ，Ａの偶数番目の針に給糸して後身頃のコース編成を行う。以降ステップ９の編成を繰り返し行って周囲が囲まれた完全な筒状の身頃部を形成する。この場合も編目の係止状態をステップ１の状態からステップ８の状態へと移行する編目の移し替えの手順は上記した方法に限られるものでなく結果としてステップ８の状態となれば種々の変更は可能である。
なお上記実施例１では、縁部はガーター編み組織の例を示したが、編み組織はこれに限るものではなく縁部以外の部分と同じ編み組織として編成することも勿論可能である。この場合でも縁部の編目を形成する針間距離が従来のように広がることがないのでその風合いを劣化させることはない。また縁はカールせず、しっかりとした形態安定性の高いものが好ましく、そのために該部分だけを増し糸して編成したり、太めの糸に変えて編成することも当然可能である。また前後に重ね合わされる縁部のウエール数を多くすればそれに応じて他方に回して編まれる側端ウエールの数は増えるがこのようにして編むことでダブルのスーツのようなデザインとすることができる。また２枚ベッド横編機を用いた例を示したが、これに代えて４枚ベッド横編機など一般的な汎用機よりも高い性能を有する横編機に対しても適宜実施できる。また上記ではカーディガンやワンピーススカートの編成に適用した例を示したが前開きのあるベストは勿論のこと例えば袖口に開き部を設けボタンやボタンホールを取り付けるようにすればニットスーツなど洋服ライクなニットウエアをシームレスに編成することができる。また開き部は前身頃でなく後身頃に形成して後身頃の側端のウエールを前身頃側へ配置させるようにして編成することなどを含め本発明の主旨を逸脱しない範囲において実施できるのは言うまでもない。
【図面の簡単な説明】
図１は、本発明の実施例により編成されたカーディガンを示す。
図２は、図１の線ｉｉ−ｉｉにおける断面図を示す。
図３は横編機でカーディガンをシームレスに編成する場合の工程を模式的に示した図である。
図４は、図３の各段階Ｐ１〜Ｐ４に対応する編地の針床での係止状態を簡略化して示した図である。
図５は、実施例１の編成の概略フローを示した図である。
図６〜２１は実施例１に係る編成ステップを示し、図６は、編成ステップの１〜４を、図７は、編成ステップの５〜８を、図８は編成ステップの９〜１２を、図９は編成ステップの１３〜１６を、図１０は編成ステップの１７〜２１をそれぞれ示す。図１１は、実施例２の編成の概略フローを示した図である。図１２〜１５は実施例３に係る編成ステップを示し、図１２は編成ステップの１〜４を、図１３は、編成ステップの５〜８を、図１４は、編成ステップの９〜１２を、図１５は、編成ステップの１３〜１４をそれぞれ示す。図１６は、実施例４のワンピーススカートの正面図を示す。図１７は、実施例４のスリットが形成される筒状部の編成の概略フローを示した図である。図１８は、実施例４に係る編成ステップを示した図である。図１９は、断面３層状に編地を編成する従来の方法を示した図である。
【図１】
0004002836.tif 000002
【図２】
0004002836.tif 000003
【図３】
0004002836.tif 000004
【図４】
0004002836.tif 000005
【図５】
0004002836.tif 000006
【図６】
0004002836.tif 000007
【図７】
0004002836.tif 000008
【図８】
0004002836.tif 000009
【図９】
0004002836.tif 000010
【図１０】
0004002836.tif 000011
【図１１】
0004002836.tif 000012
【図１２】
0004002836.tif 000013
【図１３】
0004002836.tif 000014
【図１４】
0004002836.tif 000015
【図１５】
0004002836.tif 000016
【図１６】
0004002836.tif 000017
【図１７】
0004002836.tif 000018
【図１８】
0004002836.tif 000019
【図１９】
0004002836.tif 000020